(57)【要約】      （修正有）【課題】出金すべきではないと判断された紙幣を全て出金リジェクト部に送る場合と比較して出金リジェクト部に集積された紙幣がフル状態となるまでの時間を長くすることができ、また、出金リジェクト部に集積される紙幣の数を減らすことができるため紙幣の処理効率を向上させることができる紙幣処理装置および紙幣処理方法を提供する。【解決手段】制御部は、紙幣の出金処理を行う際に収納繰出部３４（例えば、金種別収納庫３４）から搬送部１８に繰り出された紙幣を識別部２０により識別させ、識別結果に基づいて当該識別部２０により識別された紙幣を出金部１６、保留部３０および出金リジェクト部２４のうち何れかに振り分ける第１処理、および保留部３０から搬送部１８に紙幣を繰り出し、識別部２０等による再識別結果に基づいて、繰り出された紙幣を収納繰出部３４または出金リジェクト部２４に振り分ける第２処理をそれぞれ行う。【選択図】図１
2016118889.tif 000002
【特許請求の範囲】
【請求項１】
筐体と、
紙幣を収納するとともに収納された紙幣を繰り出すことができる収納繰出部と、
前記筐体の内部において、前記収納繰出部から繰り出された紙幣を搬送する搬送部と、
前記搬送部に設けられ、当該搬送部により搬送される紙幣を識別する識別部と、
前記搬送部に接続され、前記筐体の内部から外部に紙幣を出金する出金部と、
前記搬送部に接続され、当該搬送部から送られた紙幣を一時的に保留するとともに保留された紙幣を前記搬送部に繰り出すことができる保留部と、
前記搬送部に接続され、紙幣の出金処理が行われる際に前記出金部により出金すべきではない紙幣が当該搬送部から送られる出金リジェクト部と、
前記収納繰出部、前記搬送部および前記保留部の制御を行う制御部であって、紙幣の出金処理を行う際に前記収納繰出部から前記搬送部に繰り出された紙幣を前記識別部により識別させ、識別結果に基づいて当該識別部により識別された紙幣を前記出金部、前記保留部および前記出金リジェクト部のうち何れかに振り分ける第１処理、および前記第１処理が行われた後に、前記保留部に保留された紙幣を当該保留部から前記搬送部に繰り出し、繰り出された紙幣を前記識別部または前記識別部とは別に設けられた追加識別部により再識別させ、再識別結果に基づいて前記識別部または前記追加識別部により識別された紙幣を前記収納繰出部または前記出金リジェクト部に振り分ける第２処理をそれぞれ行う制御部と、
を備えた、紙幣処理装置。
【請求項２】
前記保留部は、前記搬送部に接続され、前記筐体の外部から内部に紙幣を入金する入金部である、請求項１記載の紙幣処理装置。
【請求項３】
前記入金部には、前記筐体の外部から当該入金部に紙幣を投入するための入金口を開閉するシャッターが設けられており、
前記制御部により前記第１処理が行われる際に、前記第２処理が完了するまで前記入金口が前記シャッターにより閉じられるようになっている、請求項２記載の紙幣処理装置。
【請求項４】
前記保留部は、紙幣の入金処理が行われる際に前記収納繰出部に収納される前の紙幣が一時的に保留される入金一時保留部である、請求項１記載の紙幣処理装置。
【請求項５】
前記制御部は、前記第１処理を行う際に、前記識別部により識別された紙幣について、前記出金部により出金することができると判断された紙幣を前記出金部に送り、前記出金部により出金すべきではないと判断された紙幣を全て前記保留部に送るようになっている、請求項１乃至４のいずれか一項に記載の紙幣処理装置。
【請求項６】
前記制御部は、前記第１処理を行う際に、前記識別部により識別された紙幣について、前記出金部により出金することができると判断された紙幣を前記出金部に送り、前記出金部により出金すべきではないと判断された紙幣のうち前記保留部から前記搬送部に繰り出すことができると判断された紙幣を前記保留部に送り、前記出金部により出金すべきではないと判断された紙幣のうち前記保留部から前記搬送部に繰り出すことができないと判断された紙幣を前記出金リジェクト部に送るようになっている、請求項１乃至４のいずれか一項に記載の紙幣処理装置。
【請求項７】
前記制御部は、前記第１処理を行う際に、斜行状態で搬送されていると前記識別部により識別された紙幣を、前記保留部から前記搬送部に繰り出すことができない紙幣であると判断し、当該紙幣を前記出金リジェクト部に送るようになっている、請求項６記載の紙幣処理装置。
【請求項８】
前記制御部は、前記第１処理を行う際に、先行する他の紙幣との間の間隔が所定値よりも小さいと前記識別部により識別された紙幣を、前記保留部から前記搬送部に繰り出すことができる紙幣であると判断し、当該紙幣を前記保留部に送るようになっている、請求項６記載の紙幣処理装置。
【請求項９】
前記制御部は、前記第１処理を行う際に、前記識別部における所定の判別レベルに達しないと当該識別部により判断された紙幣を、前記保留部から前記搬送部に繰り出すことができる紙幣であると判断し、当該紙幣を前記保留部に送るようになっている、請求項６記載の紙幣処理装置。
【請求項１０】
前記制御部は、前記第２処理を行う際に、前記識別部または前記追加識別部により再識別された紙幣について、前記収納繰出部から前記搬送部に繰り出すことができると判断された紙幣を前記収納繰出部に送り、それ以外の紙幣を前記出金リジェクト部に送るようになっている、請求項１乃至９のいずれか一項に記載の紙幣処理装置。
【請求項１１】
前記収納繰出部は複数設けられており、各前記収納繰出部には金種毎に紙幣が収納されるようになっており、
前記制御部は、前記第２処理を行う際に、前記識別部または前記追加識別部により再識別された紙幣について、前記収納繰出部から前記搬送部に繰り出すことができると判断されるとともに金種を判別可能な紙幣を前記収納繰出部に送り、それ以外の紙幣を前記出金リジェクト部に送るようになっている、請求項１乃至９のいずれか一項に記載の紙幣処理装置。
【請求項１２】
筐体と、紙幣を収納するとともに収納された紙幣を繰り出すことができる収納繰出部と、前記筐体の内部において、前記収納繰出部から繰り出された紙幣を搬送する搬送部と、前記搬送部に設けられ、当該搬送部により搬送される紙幣を識別する識別部と、前記搬送部に接続され、前記筐体の内部から外部に紙幣を出金する出金部と、前記搬送部に接続され、当該搬送部から送られた紙幣を一時的に保留するとともに保留された紙幣を前記搬送部に繰り出すことができる保留部と、前記搬送部に接続され、紙幣の出金処理が行われる際に前記出金部により出金すべきではない紙幣が当該搬送部から送られる出金リジェクト部とを備えた紙幣処理装置による紙幣処理方法であって、
紙幣の出金処理を行う際に前記収納繰出部から前記搬送部に繰り出された紙幣を前記識別部により識別させ、識別結果に基づいて当該識別部により識別された紙幣を前記出金部、前記保留部および前記出金リジェクト部のうち何れかに振り分ける第１処理を行う工程と、
前記第１処理が行われた後に、前記保留部に保留された紙幣を当該保留部から前記搬送部に繰り出し、繰り出された紙幣を前記識別部または前記識別部とは別に設けられた追加識別部により再識別させ、再識別結果に基づいて前記識別部または前記追加識別部により識別された紙幣を前記収納繰出部または前記出金リジェクト部に振り分ける第２処理を行う工程と、
を備えた、紙幣処理方法。
【発明の詳細な説明】
【技術分野】
【０００１】
本発明は、紙幣の少なくとも出金処理を行う紙幣処理装置およびこのような紙幣処理装置による紙幣処理方法に関する。
【背景技術】
【０００２】
紙幣の入金処理や出金処理等の様々な処理を行う紙幣処理装置として、従来から様々なタイプのものが知られている。例えば、特許文献１に開示される紙幣処理装置では、紙幣の入金処理を行う際に、入出金口として機能する受入部により筐体の外部から内部に投入された入金紙幣を識別部により識別した後、入金一時保留部に一時的に保留し、入金確定後に入金一時保留部から紙幣を繰り出して複数の収納庫に金種毎に収納させるようになっている。また、このような紙幣処理装置において紙幣の出金処理を行う際に、出金されるべき紙幣を収納庫から繰り出して識別部により識別した後、上記の受入部に送るようになっている。
【先行技術文献】
【特許文献】
【０００３】
【特許文献１】特許第５２４２２７７号
【発明の概要】
【発明が解決しようとする課題】
【０００４】
特許文献１に開示されるような従来技術の紙幣処理装置において、紙幣の出金処理を行う際に、出金すべきではないと判断された紙幣は受入部ではなく出金リジェクト部に搬送されるようになっている。また、出金リジェクト部に搬送されて当該出金リジェクト部に集積された紙幣は、操作者が紙幣処理装置の扉を開いて内部にアクセスすることによってこの出金リジェクト部から取り出され、その後、受入部に投入されることにより収納庫に戻すことができるようになっている。このような、出金リジェクト部に集積された紙幣を収納庫に戻す動作は、例えば出金リジェクト部に集積された紙幣がフル状態となったときに、紙幣処理装置の通常の運転を休止させることにより行われるようになっている。
【０００５】
しかしながら、特許文献１に開示されるような従来技術の紙幣処理装置では、上述したように、紙幣の出金処理を行う際に、出金すべきではないと判断された紙幣を全て出金リジェクト部に送っていたため、出金リジェクト部に集積された紙幣がフル状態となる頻度が高くなってしまい、紙幣処理装置の通常の運転を頻繁に休止させなければならないという問題があった。また、出金リジェクト部に集積された紙幣は、紙幣処理装置における様々な処理で活用されない紙幣（いわゆる死に金）となってしまい、このため紙幣処理装置における紙幣の処理効率が低下してしまうという問題があった。
【０００６】
本発明は、このような点を考慮してなされたものであり、出金すべきではないと判断された紙幣を全て出金リジェクト部に送る場合と比較して出金リジェクト部に集積された紙幣がフル状態となるまでの時間を長くすることができ、また、出金リジェクト部に集積される紙幣の数を減らすことができるため紙幣の処理効率を向上させることができる紙幣処理装置および紙幣処理方法を提供することを目的とする。
【課題を解決するための手段】
【０００７】
本発明の紙幣処理装置は、筐体と、紙幣を収納するとともに収納された紙幣を繰り出すことができる収納繰出部と、前記筐体の内部において、前記収納繰出部から繰り出された紙幣を搬送する搬送部と、前記搬送部に設けられ、当該搬送部により搬送される紙幣を識別する識別部と、前記搬送部に接続され、前記筐体の内部から外部に紙幣を出金する出金部と、前記搬送部に接続され、当該搬送部から送られた紙幣を一時的に保留するとともに保留された紙幣を前記搬送部に繰り出すことができる保留部と、前記搬送部に接続され、紙幣の出金処理が行われる際に前記出金部により出金すべきではない紙幣が当該搬送部から送られる出金リジェクト部と、前記収納繰出部、前記搬送部および前記保留部の制御を行う制御部であって、紙幣の出金処理を行う際に前記収納繰出部から前記搬送部に繰り出された紙幣を前記識別部により識別させ、識別結果に基づいて当該識別部により識別された紙幣を前記出金部、前記保留部および前記出金リジェクト部のうち何れかに振り分ける第１処理、および前記第１処理が行われた後に、前記保留部に保留された紙幣を当該保留部から前記搬送部に繰り出し、繰り出された紙幣を前記識別部または前記識別部とは別に設けられた追加識別部により再識別させ、再識別結果に基づいて前記識別部または前記追加識別部により識別された紙幣を前記収納繰出部または前記出金リジェクト部に振り分ける第２処理をそれぞれ行う制御部と、を備えたことを特徴とする。
【０００８】
このような紙幣処理装置によれば、紙幣の出金処理を行う際に収納繰出部から繰り出された紙幣を識別部により識別させ、識別結果に基づいて当該識別部により識別された紙幣を出金部、保留部および出金リジェクト部のうち何れかに振り分けることにより、出金すべきではないと判断された紙幣を全て出金リジェクト部に送る場合と比較して出金リジェクト部に集積された紙幣がフル状態となるまでの時間を長くすることができ、また、出金リジェクト部に集積される紙幣の数を減らすことができるため紙幣の処理効率を向上させることができる。
【０００９】
本発明の紙幣処理装置においては、前記保留部は、前記搬送部に接続され、前記筐体の外部から内部に紙幣を入金する入金部であってもよい。
【００１０】
この場合、前記入金部には、前記筐体の外部から当該入金部に紙幣を投入するための入金口を開閉するシャッターが設けられており、前記制御部により前記第１処理が行われる際に、前記第２処理が完了するまで前記入金口が前記シャッターにより閉じられるようになっていてもよい。
【００１１】
あるいは、前記保留部は、紙幣の入金処理が行われる際に前記収納繰出部に収納される前の紙幣が一時的に保留される入金一時保留部であってもよい。
【００１２】
本発明の紙幣処理装置においては、前記制御部は、前記第１処理を行う際に、前記識別部により識別された紙幣について、前記出金部により出金することができると判断された紙幣を前記出金部に送り、前記出金部により出金すべきではないと判断された紙幣を全て前記保留部に送るようになっていてもよい。
【００１３】
あるいは、前記制御部は、前記第１処理を行う際に、前記識別部により識別された紙幣について、前記出金部により出金することができると判断された紙幣を前記出金部に送り、前記出金部により出金すべきではないと判断された紙幣のうち前記保留部から前記搬送部に繰り出すことができると判断された紙幣を前記保留部に送り、前記出金部により出金すべきではないと判断された紙幣のうち前記保留部から前記搬送部に繰り出すことができないと判断された紙幣を前記出金リジェクト部に送るようになっていてもよい。
【００１４】
この場合、前記制御部は、前記第１処理を行う際に、斜行状態で搬送されていると前記識別部により識別された紙幣を、前記保留部から前記搬送部に繰り出すことができない紙幣であると判断し、当該紙幣を前記出金リジェクト部に送るようになっていてもよい。
【００１５】
また、前記制御部は、前記第１処理を行う際に、先行する他の紙幣との間の間隔が所定値よりも小さいと前記識別部により識別された紙幣を、前記保留部から前記搬送部に繰り出すことができる紙幣であると判断し、当該紙幣を前記保留部に送るようになっていてもよい。
【００１６】
また、前記制御部は、前記第１処理を行う際に、前記識別部における所定の判別レベルに達しないと当該識別部により判断された紙幣を、前記保留部から前記搬送部に繰り出すことができる紙幣であると判断し、当該紙幣を前記保留部に送るようになっていてもよい。
【００１７】
本発明の紙幣処理装置においては、前記制御部は、前記第２処理を行う際に、前記識別部または前記追加識別部により再識別された紙幣について、前記収納繰出部から前記搬送部に繰り出すことができると判断された紙幣を前記収納繰出部に送り、それ以外の紙幣を前記出金リジェクト部に送るようになっていてもよい。
【００１８】
あるいは、前記収納繰出部は複数設けられており、各前記収納繰出部には金種毎に紙幣が収納されるようになっており、前記制御部は、前記第２処理を行う際に、前記識別部または前記追加識別部により再識別された紙幣について、前記収納繰出部から前記搬送部に繰り出すことができると判断されるとともに金種を判別可能な紙幣を前記収納繰出部に送り、それ以外の紙幣を前記出金リジェクト部に送るようになっていてもよい。
【００１９】
本発明の紙幣処理方法は、筐体と、紙幣を収納するとともに収納された紙幣を繰り出すことができる収納繰出部と、前記筐体の内部において、前記収納繰出部から繰り出された紙幣を搬送する搬送部と、前記搬送部に設けられ、当該搬送部により搬送される紙幣を識別する識別部と、前記搬送部に接続され、前記筐体の内部から外部に紙幣を出金する出金部と、前記搬送部に接続され、当該搬送部から送られた紙幣を一時的に保留するとともに保留された紙幣を前記搬送部に繰り出すことができる保留部と、前記搬送部に接続され、紙幣の出金処理が行われる際に前記出金部により出金すべきではない紙幣が当該搬送部から送られる出金リジェクト部とを備えた紙幣処理装置による紙幣処理方法であって、紙幣の出金処理を行う際に前記収納繰出部から前記搬送部に繰り出された紙幣を前記識別部により識別させ、識別結果に基づいて当該識別部により識別された紙幣を前記出金部、前記保留部および前記出金リジェクト部のうち何れかに振り分ける第１処理を行う工程と、前記第１処理が行われた後に、前記保留部に保留された紙幣を当該保留部から前記搬送部に繰り出し、繰り出された紙幣を前記識別部または前記識別部とは別に設けられた追加識別部により再識別させ、再識別結果に基づいて前記識別部または前記追加識別部により識別された紙幣を前記収納繰出部または前記出金リジェクト部に振り分ける第２処理を行う工程と、を備えたことを特徴とする。
【００２０】
このような紙幣処理方法によれば、紙幣の出金処理を行う際に収納繰出部から繰り出された紙幣を識別部により識別させ、識別結果に基づいて当該識別部により識別された紙幣を出金部、保留部および出金リジェクト部のうち何れかに振り分けることにより、出金すべきではないと判断された紙幣を全て出金リジェクト部に送る場合と比較して出金リジェクト部に集積された紙幣がフル状態となるまでの時間を長くすることができ、また、出金リジェクト部に集積される紙幣の数を減らすことができるため紙幣の処理効率を向上させることができる。
【発明の効果】
【００２１】
本発明の紙幣処理装置および紙幣処理方法によれば、出金すべきではないと判断された紙幣を全て出金リジェクト部に送る場合と比較して出金リジェクト部に集積された紙幣がフル状態となるまでの時間を長くすることができ、また、出金リジェクト部に集積される紙幣の数を減らすことができるため紙幣の処理効率を向上させることができる。
【図面の簡単な説明】
【００２２】
【図１】本発明の実施の形態による紙幣処理装置の構成の概略を示す概略構成図である。
【図２】図１に示す紙幣処理装置の制御系の構成を示す機能ブロック図である。
【図３】図１等に示す紙幣処理装置において入金処理を行う際の紙幣の流れを示す説明図である。
【図４】図１等に示す紙幣処理装置において入金処理を行う際の紙幣の流れを示す説明図である。
【図５】図１等に示す紙幣処理装置において出金処理を行う際の紙幣の流れを示す説明図である。
【図６】図１等に示す紙幣処理装置において出金処理を行う際の紙幣の流れを示す説明図である。
【図７】図１等に示す紙幣処理装置において出金処理を行う際の紙幣の流れを示す説明図である。
【図８】図１等に示す紙幣処理装置において出金処理を行う際の紙幣の流れを示す説明図である。
【図９】図１等に示す紙幣処理装置において出金処理を行う際の紙幣の流れを示す説明図である。
【図１０】図１等に示す紙幣処理装置において出金処理が行われる際の当該紙幣処理装置の動作の一例を示すフローチャートである。
【図１１】図１等に示す紙幣処理装置において出金処理が行われる際の当該紙幣処理装置の動作の他の例を示すフローチャートである。
【発明を実施するための形態】
【００２３】
以下、図面を参照して本発明の実施の形態について説明する。図１乃至図１１は、本実施の形態に係る紙幣処理装置および紙幣処理方法を示す図である。このうち、図１は、本実施の形態による紙幣処理装置の構成の概略を示す概略構成図であり、図２は、図１に示す紙幣処理装置の制御系の構成を示す機能ブロック図である。また、図３および図４は、それぞれ、図１等に示す紙幣処理装置において入金処理を行う際の紙幣の流れを示す説明図である。また、図５乃至図９は、それぞれ、図１等に示す紙幣処理装置において出金処理を行う際の紙幣の流れを示す説明図である。また、図１０および図１１は、それぞれ、図１等に示す紙幣処理装置において出金処理が行われる際の当該紙幣処理装置の動作の様々な例を示すフローチャートである。
【００２４】
図１に示すように、本実施の形態による紙幣処理装置１０は略直方体形状の筐体１２を有しており、この筐体１２の前面（図１における左側の面）には、筐体１２の外部から内部に紙幣を入金するための入金部１４、および筐体１２の内部から外部に紙幣を出金するための出金部１６がそれぞれ設けられている。また、筐体１２の前面における入金部１４の下方には、紙幣処理装置１０において出金処理が行われる際に出金部１６により出金すべきではないと判断された紙幣が集積される出金リジェクト部２４、および紙幣処理装置１０において入金処理が行われる際に後述する一括収納庫３２や各金種別収納庫３４に収納すべきではないと判断された紙幣が集積される入金リジェクト部２６がそれぞれ設けられている。ここで、入金部１４には、当該入金部１４に投入された紙幣を１枚ずつ筐体１２の内部に繰り出すとともに筐体１２の内部から入金部１４に紙幣を１枚ずる繰り入れるための紙幣繰出繰入機構１４ｂが設けられている。また、紙幣処理装置１０の筐体１２の内部には、当該筐体１２内で紙幣を１枚ずつ搬送する搬送部１８が設けられており、紙幣繰出繰入機構１４ｂにより入金部１４から繰り出された紙幣は当該搬送部１８により搬送されるようになっている。また、搬送部１８には識別部２０が設けられており、搬送部１８により搬送される紙幣は識別部２０によりその金種、真偽、表裏、正損、新旧、搬送状態等が識別されるようになっている。また、搬送部１８には表裏反転部２２が設けられており、識別部２０により識別された紙幣は表裏反転部２２によりその表裏が整えられるようになっている。具体的には、表裏反転部２２に送られた紙幣のうち、例えば裏面が上側となっている紙幣のみの表裏が反転されることにより、この表裏反転部２２から出された紙幣は全て表面（おもてめん）が上側となるようになる。
【００２５】
また、図１に示すように、搬送部１８には入金一時保留部３０、一括収納庫３２および複数（図１に示す例では３つ）の金種別収納庫３４がそれぞれ接続されており、搬送部１８からこれらの入金一時保留部３０、一括収納庫３２および各金種別収納庫３４に紙幣が送られるようになっている。これらの入金一時保留部３０、一括収納庫３２および各金種別収納庫３４では、紙幣が積層状態で集積されるようになっている。また、入金一時保留部３０には紙幣繰出繰入機構３０ａが設けられており、当該入金一時保留部３０に一時的に保留されている紙幣は紙幣繰出繰入機構３０ａにより１枚ずつ搬送部１８に繰り出されるようになっている。また、紙幣繰出繰入機構３０ａにより搬送部１８から入金一時保留部３０に紙幣が１枚ずつ繰り入れられるようになっている。ここで、入金一時保留部３０には、入金処理において識別部２０により識別された紙幣が一括収納庫３２や各金種別収納庫３４に収納される前に一時的に保留されるようになっている。また、一括収納庫３２には紙幣繰出繰入機構３２ａが設けられており、当該一括収納庫３２に収納されている紙幣は紙幣繰出繰入機構３２ａにより１枚ずつ搬送部１８に繰り出されるようになっている。また、紙幣繰出繰入機構３２ａにより搬送部１８から一括収納庫３２に紙幣が１枚ずつ繰り入れられるようになっている。ここで、一括収納庫３２には、複数の金種の紙幣が混合状態で収納されるようになっている。また、各金種別収納庫３４には紙幣繰出繰入機構３４ａが設けられており、各金種別収納庫３４に収納されている紙幣は紙幣繰出繰入機構３４ａにより１枚ずつ搬送部１８に繰り出されるようになっている。また、紙幣繰出繰入機構３４ａにより搬送部１８から各金種別収納庫３４に紙幣が１枚ずつ繰り入れられるようになっている。ここで、各金種別収納庫３４には、それぞれ予め設定された特定の金種の紙幣が収納されるようになっている。
【００２６】
また、図１に示すように、搬送部１８には複数（図１に示す例では２つ）の整理一時保留部４０が接続されており、当該搬送部１８から各整理一時保留部４０に紙幣が送られるとこれらの整理一時保留部４０で紙幣が集積されるようになっている。また、各整理一時保留部４０の近傍にはアーム機構４１および搬送機構４２がそれぞれ設けられており、アーム機構４１により各整理一時保留部４０から紙幣の束が取り出されて搬送機構４２に引き渡され、当該搬送機構４２により紙幣の束が出金部１６に送られるようになっている。出金部１６では、搬送機構４２により各整理一時保留部４０から送られた紙幣の束を筐体１２の外部から取り出すことができるようになっている。
【００２７】
また、図１に示すように、入金部１４、出金部１６、出金リジェクト部２４および入金リジェクト部２６にはそれぞれシャッター１４ａ、１６ａ、２４ａ、２６ａが設けられている。これらのシャッター１４ａ、１６ａ、２４ａ、２６ａは、入金部１４、出金部１６、出金リジェクト部２４および入金リジェクト部２６における筐体１２の前面に面する各開口を開閉するようになっており、各シャッター１４ａ、１６ａ、２４ａ、２６ａにより各開口が開かれると、操作者は入金部１４、出金部１６、出金リジェクト部２４および入金リジェクト部２６にそれぞれアクセスすることができるようになっている。
【００２８】
また、本実施の形態の紙幣処理装置１０には、当該紙幣処理装置１０の各構成部材の制御を行う制御部５０が設けられている。より詳細には、図２に示すように、制御部５０には、入金部１４（具体的には、入金部１４に設けられた紙幣繰出繰入機構１４ｂ）、搬送部１８、識別部２０、表裏反転部２２、入金一時保留部３０（具体的には、入金一時保留部３０に設けられた紙幣繰出繰入機構３０ａ）、一括収納庫３２（具体的には、一括収納庫３２に設けられた紙幣繰出繰入機構３２ａ）、各金種別収納庫３４（具体的には、各金種別収納庫３４に設けられた紙幣繰出繰入機構３４ａ）、アーム機構４１、搬送機構４２、各シャッター１４ａ、１６ａ、２４ａ、２６ａ（より厳密には、各シャッター１４ａ、１６ａ、２４ａ、２６ａを開閉させるシャッター駆動機構）がそれぞれ通信可能に接続されている。そして、識別部２０による紙幣の識別結果に係る信号が制御部５０に送られるとともに、制御部５０は紙幣処理装置１０の各構成部材に指令信号を送ることによりこれらの構成部材の動作を制御するようになっている。
【００２９】
また、図２に示すように、制御部５０には表示部５２、操作部５４、記憶部５６、印字部５８および通信インターフェース部６０がそれぞれ通信可能に接続されている。表示部５２は例えば筐体１２の前面や上面に設けられたモニタ等からなり、紙幣処理装置１０における入金処理や出金処理等の紙幣の処理状況や、一括収納庫３２や各金種別収納庫３４に収納されている紙幣の在高等に関する情報が表示部５２に表示されるようになっている。また、操作部５４は例えばキーボードや操作キー等からなり、操作者はこの操作部５４により制御部５０に対して様々な指令を与えることができるようになっている。なお、表示部５２および操作部５４がそれぞれ設けられる代わりに、表示部５２および操作部５４の機能が一体化されたタッチパネル等の操作表示部が筐体１２の前面や上面に設けられていてもよい。
【００３０】
記憶部５６には、紙幣処理装置１０における入金処理や出金処理等の紙幣の処理履歴や、一括収納庫３２や各金種別収納庫３４に収納されている紙幣の在高等に関する情報が記憶されるようになっている。また、印字部５８は、紙幣処理装置１０における入金処理や出金処理等の紙幣の処理履歴や、一括収納庫３２や各金種別収納庫３４に収納されている紙幣の在高等に関する情報をレシート等に印字するようになっている。また、制御部５０は通信インターフェース部６０を介して本実施の形態による紙幣処理装置１０とは別に設けられた外部装置（具体的には、例えば上位端末）に対して信号の送受信を行うことができるようになっている。
【００３１】
次に、このような構成からなる紙幣処理装置１０の動作について説明する。なお、以下に示すような紙幣処理装置１０の動作は、制御部５０が紙幣処理装置１０の各構成部材を制御することにより行われるようになっている。
【００３２】
まず、紙幣処理装置１０において紙幣の入金処理を行う際の動作について図３および図４に示す説明図を用いて説明する。本実施の形態による紙幣処理装置１０が待機状態となっているときに、操作者が入金処理開始の指令を操作部５４により制御部５０に入力したり上位端末等の外部装置から通信インターフェース部６０を介して制御部５０に入金処理開始の指令が送信されたりすると、入金部１４に設けられたシャッター１４ａが開かれるようになり、操作者は入金部１４に紙幣を投入することができるようになる。図３に示すように、入金部１４に投入された紙幣は紙幣繰出繰入機構１４ｂにより１枚ずつ筐体１２内に繰り出され、搬送部１８により１枚ずつ搬送されるようになる。そして、搬送部１８により搬送される紙幣は識別部２０によりその金種、真偽、表裏、正損、新旧、搬送状態等が識別される。また、識別部２０により識別された紙幣は表裏反転部２２によりその表裏が整えられる。具体的には、表裏反転部２２に送られた紙幣のうち、例えば裏面が上側となっている紙幣のみの表裏が反転されることにより、この表裏反転部２２から出された紙幣は全て表面（おもてめん）が上側となるようになる。そして、図３に示すように、識別部２０により正常な紙幣ではないと識別された紙幣、すなわちリジェクト紙幣は表裏反転部２２から搬送部１８により入金リジェクト部２６に送られる。ここで、入金部１４に投入された紙幣が全て筐体１２内に繰り出されると、入金リジェクト部２６に設けられたシャッター２６ａが開かれるようになり、操作者は入金リジェクト部２６に集積されたリジェクト紙幣を手動で取り出し、入金部１４に再投入等することができるようになる。
【００３３】
一方、図３に示すように、識別部２０により正常な紙幣であると識別された紙幣は、表裏反転部２２から搬送部１８により入金一時保留部３０に送られ、この入金一時保留部３０で一時的に保留されるようになる。そして、入金部１４に投入された紙幣が全て筐体１２内に繰り出され、入金一時保留部３０または入金リジェクト部２６に送られると、表示部５２には操作者に対して入金確定の指令を促すメッセージが表示される。表示部５２に表示される当該メッセージを見た操作者が操作部５４により入金確定の指令を入力すると、図４に示すように、入金一時保留部３０から紙幣繰出繰入機構３０ａにより紙幣が１枚ずつ搬送部１８に繰り出され、当該搬送部１８により一括収納庫３２または各金種別収納庫３４に送られる。より詳細には、入金一時保留部３０から搬送部１８に繰り出された紙幣は、識別部２０により識別され、表裏反転部２２によりその表裏が整えられた後に、対応する金種の各金種別収納庫３４に送られるが、対応する金種の金種別収納庫３４が満杯状態である場合には当該紙幣は一括収納庫３２に送られるようになる。そして、入金一時保留部３０から紙幣が全て搬送部１８に繰り出されて各金種別収納庫３４や一括収納庫３２に送られると、紙幣処理装置１０における入金処理に係る一連の動作が完了する。
【００３４】
次に、紙幣処理装置１０において紙幣の出金処理を行う際の動作について図５乃至図９に示す説明図および図１０に示すフローチャートを用いて説明する。本実施の形態による紙幣処理装置１０が待機状態となっているときに、出金すべき紙幣の金種毎の枚数や合計金額等に係る情報を含む出金処理開始の指令を操作者が操作部５４により制御部５０に入力したり上位端末等の外部装置から通信インターフェース部６０を介して制御部５０に上記の出金処理開始の指令が送信されたりすると、出金すべき金種の紙幣が各金種別収納庫３４から１枚ずつ紙幣繰出繰入機構３４ａにより搬送部１８に繰り出される（ＳＴＥＰ１）。そして、図５に示すように、搬送部１８に繰り出された紙幣は当該搬送部１８により１枚ずつ搬送され、識別部２０によりその金種、表裏、搬送状態等が識別される（ＳＴＥＰ２）。また、識別部２０により識別された紙幣は表裏反転部２２によりその表裏が整えられる。
【００３５】
識別部２０により識別された紙幣が、出金部１６により出金することができると判断された紙幣である場合には（ＳＴＥＰ３の「ＹＥＳ」）、図５に示すように、当該紙幣は出金部１６に送られる（ＳＴＥＰ５）。具体的には、出金部１６により出金することができると判断された紙幣は、識別部２０から搬送部１８により上下の整理一時保留部４０のうち一方の整理一時保留部４０に送られ、当該整理一時保留部４０に集積される。そして、整理一時保留部４０に集積された紙幣の枚数が出金すべき枚数に達すると、整理一時保留部４０に集積された紙幣の束がアーム機構４１により当該整理一時保留部４０から取り出され、この紙幣の束はアーム機構４１により搬送機構４２に引き渡され、当該搬送機構４２により紙幣の束が出金部１６に送られる。そして、出金されるべき紙幣が全て出金部１６に送られると、この出金部１６に設けられたシャッター１６ａが開くことにより、操作者は出金部１６から紙幣の束を取り出すことができるようになる。なお、一方の整理一時保留部４０に集積された紙幣の枚数だけでは出金すべき枚数に足らない場合には、アーム機構４１により紙幣の束が一方の整理一時保留部４０から取り出されている間、搬送部１８から他方の整理一時保留部４０に紙幣が送られてこの他方の整理一時保留部４０に紙幣が集積されるようになっている。
【００３６】
識別部２０により識別された紙幣が、出金部１６により出金することができると判断された紙幣ではない場合には（ＳＴＥＰ３の「ＮＯ」）、図６に示すように、当該紙幣は入金一時保留部３０および出金リジェクト部２４のうち何れか一方に送られる。具体的には、識別部２０により識別された紙幣が、出金部１６により出金することができると判断された紙幣ではない場合において、この紙幣が、入金一時保留部３０から搬送部１８に繰り出すことができると判断された紙幣である場合には（ＳＴＥＰ４の「ＹＥＳ」）、当該紙幣は識別部２０から搬送部１８により入金一時保留部３０に送られる（ＳＴＥＰ６）。このような紙幣は、入金一時保留部３０から搬送部１８に繰り出すことができるため、出金されるべき紙幣が全て出金部１６に送られた後に入金一時保留部３０から各金種別収納庫３４に紙幣を戻すことができるからである。一方、識別部２０により識別された紙幣が、出金部１６により出金することができると判断された紙幣ではない場合において、この紙幣が、入金一時保留部３０から搬送部１８に繰り出すことができないと判断された紙幣である場合には（ＳＴＥＰ４の「ＮＯ」）、当該紙幣は識別部２０から搬送部１８により出金リジェクト部２４に送られる（ＳＴＥＰ７）。このような紙幣は、各金種別収納庫３４に戻すことができないため、出金リジェクト部２４に集積させることにより、適当なタイミング、例えば、当該出金リジェクト部２４が満杯状態となったときに操作者によってこの出金リジェクト部２４から筐体１２の外部に取り出されて回収されるようになる。
【００３７】
上記のＳＴＥＰ４の動作において、「識別部２０により識別された紙幣が、入金一時保留部３０から搬送部１８に繰り出すことができるか否かの判断」は、様々な基準に基づいて行われるようになっている。このような判断の基準の一例について説明すると、斜行状態で搬送されていると識別部２０により識別された紙幣は、入金一時保留部３０から搬送部１８に繰り出すことができない紙幣であると制御部５０において判断され、当該紙幣は出金リジェクト部２４に送られるようになる。このような斜行状態で搬送されている紙幣が搬送部１８により入金一時保留部３０に送られると、このような紙幣は入金一時保留部３０において所定の向きから傾いた状態で集積されるため、紙幣繰出繰入機構３０ａにより入金一時保留部３０から当該紙幣を搬送部１８に繰り出す際に繰り出しエラー等のトラブルが生じてしまうおそれがあるからである。
【００３８】
また、先行する他の紙幣との間隔が所定値よりも小さいと識別部２０により識別された紙幣は、入金一時保留部３０から搬送部１８に繰り出すことができる紙幣であると制御部５０において判断され、当該紙幣は入金一時保留部３０に送られるようになる。このような紙幣は、搬送部１８により入金一時保留部３０に送られると、先行する他の紙幣との間隔に関係なく入金一時保留部３０において所定の向きで所定の位置に集積されるため、紙幣繰出繰入機構３０ａにより入金一時保留部３０から当該紙幣を搬送部１８に問題なく繰り出すことができるからである。また、識別部２０における所定の判別レベルに達しないと当該識別部２０により判断された紙幣も、入金一時保留部３０から搬送部１８に繰り出すことができる紙幣であると制御部５０において判断され、当該紙幣は入金一時保留部３０に送られるようになる。このような紙幣は、後述するように入金一時保留部３０から搬送部１８に繰り出されると、識別部２０で再識別することができるため、このような再識別結果に基づいて各金種別収納庫３４に戻すかあるいは出金リジェクト部２４に送るかを決めることができるからである。
【００３９】
なお、ＳＴＥＰ４の動作における上記の様々な判断の基準は、あくまで例示的に述べたに過ぎず、実際に用いられる紙幣処理装置１０の仕様等に基づいて上記の判断の基準を任意で変更することができるようになっている。
【００４０】
そして、紙幣処理装置１０の出金処理において、出金されるべき紙幣が全て出金部１６に送られるまで（ＳＴＥＰ８の「ＮＯ」）、上記のＳＴＥＰ１〜ＳＴＥＰ７に示す動作が繰り返し行われる。一方、出金されるべき紙幣が全て出金部１６に送られると（ＳＴＥＰ８の「ＹＥＳ」）、入金一時保留部３０から紙幣が１枚ずつ紙幣繰出繰入機構３０ａにより搬送部１８に繰り出される（ＳＴＥＰ９）。そして、図７に示すように、入金一時保留部３０から搬送部１８に繰り出された紙幣は当該搬送部１８により１枚ずつ搬送され、識別部２０によりその金種、表裏、搬送状態等が識別される（ＳＴＥＰ１０）。ここで、識別部２０により識別された紙幣が、金種別収納庫３４から搬送部１８に繰り出すことができると判断され、かつ金種を判別可能な紙幣である場合には（ＳＴＥＰ１１の「ＹＥＳ」）、当該紙幣は識別部２０から搬送部１８により対応する金種の金種別収納庫３４に送られる（ＳＴＥＰ１２）。このような紙幣は、金種別収納庫３４から搬送部１８に繰り出すことができるため、次回以降の出金処理で出金紙幣として用いることができるからである。一方、識別部２０により識別された紙幣が、金種別収納庫３４から搬送部１８に繰り出すことができないと判断された場合や、金種を判別不可能な紙幣である場合には（ＳＴＥＰ１１の「ＮＯ」）、図８に示すように、当該紙幣は識別部２０から搬送部１８により出金リジェクト部２４に送られる（ＳＴＥＰ１３）。このような紙幣は次回以降の出金処理で出金紙幣として用いることができないため、出金リジェクト部２４に集積させることによって操作者により当該出金リジェクト部２４から筐体１２の外部に取り出されるようになる。そして、入金一時保留部３０から紙幣が全て搬送部１８に繰り出され、出金リジェクト部２４または各金種別収納庫３４に送られると（ＳＴＥＰ１４の「ＹＥＳ」）、紙幣処理装置１０における出金処理の一連の動作が完了する。
【００４１】
なお、本実施の形態の紙幣処理装置１０では、紙幣の出金処理における上記のＳＴＥＰ３やＳＴＥＰ４の動作において、識別部２０により識別された紙幣が、出金部１６により出金することができると判断された紙幣ではなく、かつ入金一時保留部３０から搬送部１８に繰り出すことができると判断された紙幣である場合には、当該紙幣を搬送部１８により入金一時保留部３０に送る代わりに入金部１４に送るようにしてもよい。このような態様について図９を用いて説明する。
【００４２】
図９に示すように、紙幣の出金処理において、識別部２０により識別された紙幣が、出金部１６により出金することができると判断された紙幣ではなく、かつ入金部１４から紙幣繰出繰入機構１４ｂにより搬送部１８に繰り出すことができると判断された紙幣である場合には、当該紙幣は搬送部１８により入金部１４に送られる。この際に、入金部１４における筐体１２の前面に面する開口はシャッター１４ａにより閉じられ、操作者は入金部１４にアクセスすることができないようになる。一方、紙幣の出金処理において、識別部２０により識別された紙幣が、出金部１６により出金することができると判断された紙幣ではなく、かつ入金部１４から紙幣繰出繰入機構１４ｂにより搬送部１８に繰り出すことができないと判断された紙幣である場合には、当該紙幣は搬送部１８により出金リジェクト部２４に送られる。そして、出金されるべき紙幣が全て出金部１６に送られると、入金部１４から紙幣が１枚ずつ紙幣繰出繰入機構１４ｂにより搬送部１８に繰り出される。入金部１４から搬送部１８に繰り出された紙幣は当該搬送部１８により１枚ずつ搬送され、識別部２０によりその金種、表裏、搬送状態等が識別される。ここで、識別部２０により識別された紙幣が、金種別収納庫３４から搬送部１８に繰り出すことができると判断され、かつ金種を判別可能な紙幣である場合には、当該紙幣は識別部２０から搬送部１８により対応する金種の金種別収納庫３４に送られる。一方、識別部２０により識別された紙幣が、金種別収納庫３４から搬送部１８に繰り出すことができないと判断された場合や、金種を判別不可能な紙幣である場合には、当該紙幣は識別部２０から搬送部１８により出金リジェクト部２４に送られる。そして、入金部１４から紙幣が全て搬送部１８に繰り出され、出金リジェクト部２４または各金種別収納庫３４に送られると、紙幣処理装置１０における出金処理の一連の動作が完了する。
【００４３】
このように、本実施の形態では、入金一時保留部３０や入金部１４を保留部とすると、紙幣の出金処理における上記のＳＴＥＰ３やＳＴＥＰ４の動作において、識別部２０により識別された紙幣が、出金部１６により出金することができると判断された紙幣ではなく、かつ保留部から搬送部１８に繰り出すことができると判断された紙幣である場合には、当該紙幣を搬送部１８により入金一時保留部３０や入金部１４からなる保留部に送るようになっている。そして、出金されるべき紙幣が全て出金部１６に送られると、入金一時保留部３０や入金部１４からなる保留部から紙幣が１枚ずつ搬送部１８に繰り出され、識別部２０により識別された後、各金種別収納庫３４または出金リジェクト部２４に送られるようになる。
【００４４】
また、紙幣の出金処理における上記のＳＴＥＰ１１の動作において、入金一時保留部３０から搬送部１８に繰り出された紙幣を識別部２０により識別したときに、金種別収納庫３４から搬送部１８に繰り出すことができると判断され、かつ金種を判別可能な紙幣である場合に、当該紙幣を対応する金種の金種別収納庫３４に送るようにしている。しかしながら、紙幣処理装置において、紙幣を収納するとともに収納された紙幣を搬送部に繰り出すことができる収納庫の数が１つである場合には、識別部により紙幣が識別されたときに、この収納庫から搬送部に繰り出すことができると判断されると、金種を判別可能であるか否かにかかわらず、当該紙幣を収納庫に送るようにしてもよい。
【００４５】
また、紙幣処理装置１０において紙幣の出金処理を行う際に、図１０に示すフローチャートに従って紙幣処理装置１０の動作が行われる代わりに、図１１に示すフローチャートに従って紙幣処理装置１０の動作が行われるようになっていてもよい。図１１に示すフローチャートによる紙幣処理装置１０の動作では、紙幣の出金処理において識別部２０により紙幣が識別されたときに、出金部１６により出金することができないと判断された紙幣は全て入金一時保留部３０に送られるようになっている。このような図１１に示すフローチャートによる紙幣処理装置１０の動作の詳細について以下に説明する。
【００４６】
紙幣処理装置１０が待機状態となっているときに、出金すべき紙幣の金種毎の枚数や合計金額等に係る情報を含む出金処理開始の指令を操作者が操作部５４により制御部５０に入力したり上位端末等の外部装置から通信インターフェース部６０を介して制御部５０に上記の出金処理開始の指令が送信されたりすると、出金すべき金種の紙幣が各金種別収納庫３４から１枚ずつ紙幣繰出繰入機構３４ａにより搬送部１８に繰り出される（ＳＴＥＰ２１）。そして、搬送部１８に繰り出された紙幣は当該搬送部１８により１枚ずつ搬送され、識別部２０によりその金種、表裏、搬送状態等が識別される（ＳＴＥＰ２２）。また、識別部２０により識別された紙幣は表裏反転部２２によりその表裏が整えられる。
【００４７】
識別部２０により識別された紙幣が、出金部１６により出金することができると判断された紙幣である場合には（ＳＴＥＰ２３の「ＹＥＳ」）、当該紙幣は出金部１６に送られる（ＳＴＥＰ２４）。一方、識別部２０により識別された紙幣が、出金部１６により出金することができると判断された紙幣ではない場合には（ＳＴＥＰ２３の「ＮＯ」）、このような紙幣は全て搬送部１８により入金一時保留部３０に送られる（ＳＴＥＰ２５）。
【００４８】
そして、紙幣処理装置１０の出金処理において、出金されるべき紙幣が全て出金部１６に送られるまで（ＳＴＥＰ２６の「ＮＯ」）、上記のＳＴＥＰ２１〜ＳＴＥＰ２５に示す動作が繰り返し行われる。一方、出金されるべき紙幣が全て出金部１６に送られると（ＳＴＥＰ２６の「ＹＥＳ」）、入金一時保留部３０から紙幣が１枚ずつ紙幣繰出繰入機構３０ａにより搬送部１８に繰り出される（ＳＴＥＰ２７）。そして、入金一時保留部３０から搬送部１８に繰り出された紙幣は当該搬送部１８により１枚ずつ搬送され、識別部２０によりその金種、表裏、搬送状態等が識別される（ＳＴＥＰ２８）。ここで、識別部２０により識別された紙幣が、金種別収納庫３４から搬送部１８に繰り出すことができると判断され、かつ金種を判別可能な紙幣である場合には（ＳＴＥＰ２９の「ＹＥＳ」）、当該紙幣は識別部２０から搬送部１８により対応する金種の金種別収納庫３４に送られる（ＳＴＥＰ３０）。このような紙幣は、金種別収納庫３４から搬送部１８に繰り出すことができるため、次回以降の出金処理で出金紙幣として用いることができるからである。一方、識別部２０により識別された紙幣が、金種別収納庫３４から搬送部１８に繰り出すことができないと判断された場合や、金種を判別不可能な紙幣である場合には（ＳＴＥＰ２９の「ＮＯ」）、当該紙幣は識別部２０から搬送部１８により出金リジェクト部２４に送られる（ＳＴＥＰ３１）。このような紙幣は次回以降の出金処理で出金紙幣として用いることができないため、出金リジェクト部２４に集積させることによって操作者により当該出金リジェクト部２４から筐体１２の外部に取り出されるようになる。そして、入金一時保留部３０から紙幣が全て搬送部１８に繰り出され、出金リジェクト部２４または各金種別収納庫３４に送られると（ＳＴＥＰ３２の「ＹＥＳ」）、紙幣処理装置１０における出金処理の一連の動作が完了する。
【００４９】
以上のような構成からなる本実施の形態の紙幣処理装置１０によれば、制御部５０は、紙幣の出金処理を行う際に各金種別収納庫３４から搬送部１８に繰り出された紙幣を識別部２０により識別させ、識別結果に基づいて当該識別部２０により識別された紙幣を出金部１６、保留部（具体的には、入金一時保留部３０や入金部１４）および出金リジェクト部２４のうち何れかに振り分ける第１処理（具体的には、図１０のフローチャートにおけるＳＴＥＰ１〜ＳＴＥＰ８の動作や図１１のフローチャートにおけるＳＴＥＰ２１〜ＳＴＥＰ２６の動作）、および第１処理が行われた後に、保留部に保留された紙幣を当該保留部から搬送部１８に繰り出し、繰り出された紙幣を識別部２０により再識別させ、再識別結果に基づいて識別部２０により識別された紙幣を各金種別収納庫３４または出金リジェクト部２４に振り分ける第２処理（具体的には、図１０のフローチャートにおけるＳＴＥＰ９〜ＳＴＥＰ１４の動作や図１１のフローチャートにおけるＳＴＥＰ２７〜ＳＴＥＰ３２の動作）をそれぞれ行うようになっている。このような紙幣処理装置１０によれば、紙幣の出金処理を行う際に各金種別収納庫３４から繰り出された紙幣を識別部２０により識別させ、識別結果に基づいて当該識別部２０により識別された紙幣を出金部１６、保留部（具体的には、入金一時保留部３０や入金部１４）および出金リジェクト部２４のうち何れかに振り分けることにより、出金すべきではないと判断された紙幣を全て出金リジェクト部２４に送る場合と比較して出金リジェクト部２４に集積された紙幣がフル状態となるまでの時間を長くすることができ、また、出金リジェクト部２４に集積される紙幣の数を減らすことができるため紙幣の処理効率を向上させることができる。
【００５０】
また、本実施の形態の紙幣処理装置１０においては、上述したように、保留部は、搬送部１８に接続され、筐体１２の外部から内部に紙幣を入金する入金部１４であってもよく、あるいは、紙幣の入金処理が行われる際に各金種別収納庫３４に収納される前の紙幣が一時的に保留される入金一時保留部３０であってもよい。ここで、保留部として入金部１４が用いられる場合には、制御部５０により上記の第１処理が行われる際に、第２処理が完了するまで入金部１４の開口（入金口）がシャッター１４ａにより閉じられるようになっている。このことにより、シャッター１４ａによって入金部１４へのアクセスを禁止することができるため、当該入金部１４に一時的に保留される紙幣が操作者によって誤って筐体１２の外部に取り出されてしまうことを防止することができるようになる。
【００５１】
また、本実施の形態の紙幣処理装置１０においては、図１１のフローチャートに示すように、制御部５０は、上記の第１処理を行う際に、識別部２０により識別された紙幣について、出金部１６により出金することができると判断された紙幣を出金部１６に送り、出金部１６により出金すべきではないと判断された紙幣を全て保留部（具体的には、入金一時保留部３０や入金部１４）に送るようになっていてもよい。このようにすれば、第１処理で出金することができないと判断された紙幣を全て第２処理で再識別することができるので、出金紙幣として利用できる枚数を増やすことが可能になる。
【００５２】
あるいは、図１０のフローチャートに示すように、制御部５０は、上記の第１処理を行う際に、識別部２０により識別された紙幣について、出金部１６により出金することができると判断された紙幣を出金部１６に送り、出金部１６により出金すべきではないと判断された紙幣のうち入金一時保留部３０や入金部１４からなる保留部から搬送部１８に繰り出すことができると判断された紙幣を当該保留部に送り、出金部１６により出金すべきではないと判断された紙幣のうち保留部から搬送部１８に繰り出すことができないと判断された紙幣を出金リジェクト部２４に送るようになっていてもよい。
【００５３】
この場合、制御部５０は、上記の第１処理を行う際に、斜行状態で搬送されていると識別部２０により識別された紙幣を、保留部から搬送部１８に繰り出すことができない紙幣であると判断し、当該紙幣を出金リジェクト部２４に送るようになっている。また、制御部５０は、上記の第１処理を行う際に、先行する他の紙幣との間の間隔が所定値よりも小さいと識別部２０により識別された紙幣を、保留部から搬送部１８に繰り出すことができる紙幣であると判断し、当該紙幣を保留部に送るようになっている。また、制御部５０は、上記の第１処理を行う際に、識別部２０における所定の判別レベルに達しないと当該識別部２０により判断された紙幣を、保留部から搬送部１８に繰り出すことができる紙幣であると判断し、当該紙幣を保留部に送るようになっている。なお、上述したように、上記の様々な判断の基準は、あくまで例示的に述べたに過ぎず、実際に用いられる紙幣処理装置１０の仕様等に基づいて上記の判断の基準を任意で変更することができるようになっている。
【００５４】
また、本実施の形態の紙幣処理装置１０においては、上述したように、複数の金種別収納庫３４が設けられており、各金種別収納庫３４に紙幣が金種毎に収納されるようになっている場合には、制御部５０は、上記の第２処理を行う際に、識別部２０により再識別された紙幣について、金種別収納庫３４から搬送部１８に繰り出すことができると判断されるとともに金種を判別可能な紙幣を金種別収納庫３４に送り、それ以外の紙幣を出金リジェクト部２４に送るようになっている。なお、上述したように、変形例に係る紙幣処理装置において、紙幣を収納するとともに収納された紙幣を搬送部に繰り出すことができる収納庫の数が１つである場合には、識別部により紙幣が識別されたときに、この収納庫から搬送部に繰り出すことができると判断されると、金種を判別可能であるか否かにかかわらず、当該紙幣を収納庫に送るようにしてもよい。
【００５５】
なお、本実施の形態による紙幣処理装置１０やこのような紙幣処理装置１０による紙幣処理方法は、上述したような態様に限定されることはなく、様々な変更を加えることができる。
【００５６】
変形例に係る紙幣処理装置において、上記の識別部２０とは別に、入金一時保留部３０や入金部１４からなる保留部から搬送部１８に繰り出された紙幣を識別するための追加識別部が設けられていてもよい。このような場合は、制御部５０は、上記の第２処理を行う際に、入金一時保留部３０や入金部１４からなる保留部に保留された紙幣を当該保留部から搬送部１８に繰り出し、繰り出された紙幣を識別部２０とは別に設けられた追加識別部により再識別させ、再識別結果に基づいて追加識別部により識別された紙幣を各金種別収納庫３４または出金リジェクト部２４に振り分けるようになる。
【００５７】
また、上記の第２処理は、出金されるべき紙幣が全て出金部１６に送られた後にすぐに行われる必要はない。上記の第２処理が行われるタイミングとして、上記の第１処理が行われた後の任意のタイミングに設定することができる。また、保留部として入金部１４を用いない場合は、入金部１４の紙幣繰出繰入機構１４ｂを、紙幣の繰り出し機能のみ有するものに簡略化することができる。また、入金リジェクト部２６のシャッター２６ａは省略することができる。
【符号の説明】
【００５８】
１０    紙幣処理装置
１２    筐体
１４    入金部（保留部）
１４ａ  シャッター
１４ｂ  紙幣繰出繰入機構
１６    出金部
１６ａ  シャッター
１８    搬送部
２０    識別部
２２    表裏反転部
２４    出金リジェクト部
２４ａ  シャッター
２６    入金リジェクト部
２６ａ  シャッター
３０    入金一時保留部（保留部）
３０ａ  紙幣繰出繰入機構
３２    一括収納庫
３２ａ  紙幣繰出繰入機構
３４    金種別収納庫（収納繰出部）
３４ａ  紙幣繰出繰入機構
４０    整理一時保留部
４１    アーム機構
４２    搬送機構
５０    制御部
５２    表示部
５４    操作部
５６    記憶部
５８    印字部
６０    通信インターフェース部
【図１】
2016118889.tif 000003
【図２】
2016118889.tif 000004
【図３】
2016118889.tif 000005
【図４】
2016118889.tif 000006
【図５】
2016118889.tif 000007
【図６】
2016118889.tif 000008
【図７】
2016118889.tif 000009
【図８】
2016118889.tif 000010
【図９】
2016118889.tif 000011
【図１０】
2016118889.tif 000012
【図１１】
2016118889.tif 000013